(57)【特許請求の範囲】
【請求項１】
モバイル・ユーザ装置（ＵＥ）送信電力を制限する方法であって、
ネットワークからネットワーク信号値を受信することと、
前記ネットワーク信号値、送信チャネルの中心周波数、割り振られたリソース・ブロックの数、および前記チャネル内の前記割り振られたリソース・ブロックのロケーションに基づいて、送信信号電力を低減することと、を備え、前記リソース・ブロックは、周波数のスパンを占有し、およびリージョナル・プロトコルは、連続した割り振られたリソース・ブロックの対応する長さのために有効でないリソース・ブロックを特定し、前記送信信号電力を前記低減することは、有効でない前記特定されたリソース・ブロックのうちの１つが送信のためにスケジューリングされるときに生じることを特徴とする、方法。
【請求項２】
前記低減することは、前記ＵＥ自身のルールに基づいた決定プロセスのイニシアチブで前記ＵＥによって決定される、請求項１に記載の方法。
【請求項３】
前記低減することは、最大に設定された出力電力制限を低減することを備える、請求項１に記載の方法。
【請求項４】
前記送信信号電力を前記低減することは、送信信号電力における別の低減を補完するものであり、送信信号電力における前記別の低減は、前記チャネル内の前記割り振られたリソース・ブロックの前記ロケーションではなく前記ネットワーク信号値に基づく、請求項１に記載の方法。
【請求項５】
前記送信信号電力の補完的な前記低減の量は、前記ＵＥにおける不揮発性のメモリに記憶される、請求項４に記載の方法。
【請求項６】
前記送信信号電力の補完的な前記低減は、ＵＥ設計の特性測定に基づいて設定可能である、請求項４に記載の方法。
【請求項７】
前記送信信号電力の補完的な前記低減は、前記ネットワーク信号値に基づく送信信号電力における前記別の低減より大きい、請求項４に記載の方法。
【請求項８】
リージョナル・プロトコルに違反して基地局にリソース・ブロックを送信することをさらに備える、請求項１に記載の方法。
【請求項９】
前記リージョナル・プロトコルに準拠していない前記基地局に起因して前記リソース・ブロックを送信することをさらに備える、請求項８に記載の方法。
【請求項１０】
前記リージョナル・プロトコルに準拠していない前記ＵＥに起因して前記リソース・ブロックを送信することをさらに備える、請求項８に記載の方法。
【請求項１１】
前記基地局から前記ＵＥに送信されるスケジュールの前記ＵＥにおける誤った解釈に起因して、前記リソース・ブロックを送信することをさらに備える、請求項８に記載の方法。
【請求項１２】
前記ネットワーク信号値はＮＳ＿０５である、請求項１に記載の方法。
【請求項１３】
前記ＵＥは、ＮＳ＿０５の前記ネットワーク信号値を受信するためにローミング・モードで動作可能である、請求項１に記載の方法。
【請求項１４】
請求項１に記載の方法を行うための手段を備えるワイヤレス・デバイス。
【請求項１５】
コンピューティング・マシンにおいて実行されるとき、請求項１に記載の方法を行うソフトウェア・プログラムを記憶する不揮発性の記憶媒体。
【発明の詳細な説明】
【関連出願】
【０００１】
[0001]  本出願は、２０１４年９月２９日に出願された米国特許出願第１４／５００，９５５号の優先権を主張し、それはまた、２０１３年９月３０日に出願された米国仮特許出願第６１／８８４，９７３号の優先権を主張しており、これら両方の内容は、あらゆる目的のためにその内容全体が参照により本書に明確に組み込まれる。
【技術分野】
【０００２】
[0002]  本開示は、一般的に、ワイヤレス通信システムに関わる。より具体的には、本開示は、モバイル・ワイヤレス・デバイスが制限された構成における送信の要求を受信するときに最大出力電力を制限することに関わる。
【背景技術】
【０００３】
[0003]  ワイヤレス通信デバイスは、より小型に、より強力に、並びにより有能になってきている。次第にユーザは、携帯電話の使用、並びにｅメールおよびインターネット・アクセスのためのワイヤレス通信デバイスに依存している。同時に、デバイスは、サイズがより小型になってきている。セルラー電話、携帯情報端末（ＰＤＡ）、ラップトップ・コンピュータのようなデバイス、および他の類似のデバイスは、広範なカバレッジ・エリアをともなう信頼できるサービスを提供する。このようなデバイスは、移動局、局、アクセス端末、ユーザ端末、加入者ユニット、ユーザ装置（ＵＥ）、および類似の用語で呼ばれ得る。
【０００４】
[0004]  ワイヤレス通信システムは、同時に複数のワイヤレス通信デバイスに関わる通信をサポートし得る。使用時に、ワイヤレス通信デバイスは、アップリンクおよびダウンリンクにおける送信によって１つ以上の基地局と通信し得る。基地局は、アクセス・ポイント、ノードＢ、またはその他の類似の用語で呼ばれ得る。アップリンクまたは逆方向リンクは、ワイヤレス通信デバイスから基地局への通信リンクに言及し、一方でダウンリンクまたは順方向リンクは、基地局からワイヤレス通信デバイスへの通信に言及する。
【０００５】
[0005]  ワイヤレス通信システムは、利用可能なシステム・リソース、例えば、帯域幅および送信電力を共有することによって、複数のユーザと（例えばモバイル・ユーザ装置ＵＥと）の通信をサポートすることが可能な多元接続システム（multiple access systems）であり得る。このような多元接続システムの例は、符号分割多元接続（ＣＤＭＡ）システム、時分割多元接続（ＴＤＭＡ）システム、周波数分割多元接続（ＦＤＭＡ）システム、広帯域符号分割多元接続（ＷＣＤＭＡ（登録商標））システム、モバイル通信システムのためのグローバル・システム（ＧＳＭ（登録商標））、ＧＳＭ革新のための強化データ・レート（ＥＤＧＥ：enhanced data rates for ＧＳＭ evolution）システム、および直交周波数分割多元接続（ＯＦＤＭＡ）システムを含む。
【０００６】
[0006]  保護された無線スペクトラムへの放射（emission）に関わる規制上の要件に準拠するために、第３世代パートナシップ・プロジェクト（３ＧＰＰ（登録商標））は、ＵＥに、スペクトル放射要件に違反させ得るシナリオにおける動作を防ぐために、スケジューリング制限（scheduling restrictions）を規定している。これらの制限は、例えば、３ＧＰＰ ＴＳ ３６．１０１規格に記載されている。
【０００７】
[0007]  ＵＥが劣悪なチャネル状況のために誤ったグラント（a false grant）を復号し得、この誤ったグラントは、ＵＥに、保護された帯域において過度の放射を潜在的に引き起こし得る制限された構成で送信させ得る。アップリンク（ＵＬ）送信のためのグラントは、ＵＥからの要求のあとにネットワークによって発行される。ＵＥは、ネットワークを介して送り先にデータをアップロードすることの許可を要求し得る。送信に対する要求は、送信バッファの状態、ＵＥにおけるキュー(queue）、それの利用可能な電力余裕（power margin）についてのデータを含む。ネットワーク・ベースのスケジューラは、ＵＥが送信することの許可を与えられる（granted permission）ときを決定する。リソースが、ＵＥ送信に関して与えられるべき許可に対して割り振られる。アップリンク送信を活性化するためのグラントが誤って検出されると、ＵＬ送信が誤って開始し、干渉を生じ得る。ＵＬを活性化するメッセージが誤って受信される場合、または、何も送信されなかった場合、さまざまな問題が生じ得、それは他のアップリンク送信を潜在的に乱すことを含み、ＵＬ電力レベルが過剰に高い場合に他の送信チャネルにおける干渉を生じさせる。
【発明の概要】
【０００８】
[0008]  下記は、開示された態様の簡潔な概要を、これら態様の基本的な理解を提供するために提示する。この概要は、全ての予期される態様の広域の概説ではなく、重要または決定的な要素を特定することも、このような態様の範囲を詳述することも意図されていない。
【０００９】
[0009]  １つの実施形態では、本開示は、モバイル・ユーザ装置（ＵＥ）送信電力を制限することによって、帯域外の放射（out of band emissions）を低減するための方法を含む。１つの実施形態では、方法は、ネットワークからネットワーク信号値を受信することと、ネットワーク信号値、送信チャネルの中心周波数、割り振られたリソース・ブロックの数、およびチャネル内の割り振られたリソース・ブロックのロケーションに基づいて送信信号電力を低減することと、を備える。
【００１０】
[0010]  １つの実施形態では、特定のリソース・ブロックは、周波数のスパンを占有し、リージョナル・プロトコル（regional protocol）は、連続した割り振られたリソース・ブロックの対応する長さのために有効でない（not usable）リソース・ブロックを特定し、送信信号電力を低減することは、有効でない特定されたリソース・ブロックのうちの１つが送信のためにスケジューリングされるときに生じる。
【００１１】
[0011]  １つの実施形態では、低減することは、ルールに基づく決定プロセス（a rule-based decision process.）によってトリガーされる。
【００１２】
[0012]  １つの実施形態では、低減することは、最大に設定された出力電力制限（maximum configured output power limit）を低減することを備える。
【００１３】
[0013]  １つの実施形態では、送信信号電力を低減することは、送信信号電力における別の低減を補完する（supplemental to）ものであり、送信信号電力における別の低減は、ネットワーク信号値に基づき、チャネル内の割り振られたリソース・ブロックのロケーションに基づくのではない。
【００１４】
[0014]  １つの実施形態では、送信信号電力の補完的な低減（supplemental reducing）は、ＵＥにおける不揮発性のメモリに記憶される。
【００１５】
[0015]  １つの実施形態では、送信信号電力の補完的な低減は、ＵＥ設計の特性測定（characterization measurement）に基づいて設定可能である。
【００１６】
[0016]  １つの実施形態では、送信信号電力の補完的な低減は、ネットワーク信号値に基づく送信信号電力における別の低減より大きい。
【００１７】
[0017]  １つの実施形態では、ＵＥは、リージョナル・プロトコルに違反して基地局にリソース・ブロックを送信するように構成されている。
【００１８】
[0018]  １つの実施形態では、ＵＥは、リージョナル・プロトコルに準拠していない基地局に起因してリソース・ブロックを送信するように構成されている。
【００１９】
[0019]  １つの実施形態では、ＵＥは、リージョナル・プロトコルに準拠していないＵＥに起因してリソース・ブロックを送信するように構成されている。
【００２０】
[0020]  １つの実施形態では、ＵＥは、基地局からＵＥに送信されるスケジュールのＵＥにおける誤った解釈に起因してリソース・ブロックを送信するように構成されている。
【００２１】
[0021]  １つの実施形態では、ネットワーク信号値はＮＳ＿０５である。
【００２２】
[0022]  １つの実施形態では、ＵＥはＮＳ＿０５のネットワーク信号値を受信するためにローミング・モードで動作可能である。
【００２３】
[0023]  別の実施形態では、本開示は、送信機、受信機、および受信機によって基地局からネットワーク信号値を受信し、ネットワーク信号値、送信チャネルの中心周波数、割り振られたリソース・ブロックの数、およびチャネル内の割り振られたリソース・ブロックのロケーションに基づいて送信機における送信信号電力を低減するように構成されているデジタル処理回路を備えるワイヤレス・デバイスを含む。
【００２４】
[0024]  別の実施形態では、本開示は、モバイル・ユーザ装置（ＵＥ）のコンピューティング・マシンにおいて実行されるときに、ネットワークからネットワーク信号値を受信することと、ネットワーク信号値、送信チャネルの中心周波数、割り振られたリソース・ブロックの数、およびチャネル内の割り振られたリソース・ブロックのロケーションに基づいて送信信号電力を低減することと、を備える、ＵＥ送信電力を制限するための工程を実施する、不揮発性の記憶媒体上に記憶されたソフトウェア・プログラムを含む。
【００２５】
[0025]  下記の詳細な説明および添付の図面は、本開示の性質および効果のより良好な理解を提供する。
【図面の簡単な説明】
【００２６】
【図１】図１は、ここに記載のさまざまな態様にしたがったワイヤレス通信システムを示す。
【図２】図２は、１つの実施形態に従ったワイヤレス・システムを示す。
【図３】図３は、１つの実施形態に従った送信電力低減技術の一例としての適用を示す。
【図４】図４は、１つの実施形態に従った電力放射バック・オフ（power emission back-off）に関わる状況を示すグラフである。
【図５】図５は、１つの実施形態に従った方法の例示的なフロー図である。
【図６】図６は、１つの実施形態に従ったワイヤレス通信デバイスを示す。
【詳細な説明】
【００２７】
[0032]  本開示は、制限された構成における電力低減に関わる。以下の記載は、説明の目的のために、多くの例および具体的詳細が、本開示の完全な理解を提供するために記載されている。しかしながら、本分野の当業者にとっては、請求項で述べられているような本開示は、単独で、または以下に記載の他の特徴と組み合わせて、これらの例中の特徴のいくつかまたはすべてを含み得、且つ、ここに記載の概念および特徴の変更およびこれらと同等のものをさらに含み得ることが、明らかであろう。
【００２８】
[0033]  さまざまな態様が、多くのデバイス、コンポーネント、モジュール等を含み得るシステムに関して示され得るだろう。さまざまなシステムは、追加のデバイス、コンポーネント、モジュールなどを含み得、および／または、図に関連して述べられているデバイス、コンポーネント、モジュール等のすべてを含まないこともあることが、理解され且つ認識されるべきである。これらのアプローチの組合せもまた使用され得る。
【００２９】
[0034]  ネットワークシグナリングおよびＴｘスケジューリングの組合せに基づく最大電力バック・オフを選択する方法は、「追加の最大電力低減（Additional Max Power Reduction）」として３ＧＰＰにおいて定義されている。しかしながら、ユーザが送信グラントに補完的な電力放射バック・オフ決定を行うことを保証する、構成、例えば、劣悪なチャネル状況に起因する誤ったグラント、または保護された帯域に関連したリソース・ブロックの割り振りのサイズおよびロケーション、が生じ得る。
【００３０】
[0035]  例えば、日本の保護されたＰＨＳ帯域へのＵＥ放射に対処するために、ＬＴＥ（登録商標）規格は、（例えば、キャリア中心周波数Ｆｃ、開始リソース・ブロックＲＢｓｔａｒｔ、および連続したリソース・ブロック割り振りの長さＬｃｒｂに基づく）周知の問題のある構成を制限するネットワーク側の解決法を薦めている。これらの３ＧＰＰの定義に基づいて、ＵＥコンプライアンス（UE compliance）は、ネットワーク・コンプライアンスに依存している。スケジューリング制限は、一般的な動作目的に適しているが、それらは、レギュレータ（regulator）が、ＵＥが動作シナリオのすべての可能性に関わる放射要件を上回ることができないことを確実にする必要がある規制上の要件（regulatory requirement）を満たすのに十分でない。
【００３１】
[0036]  例えば、チャネル状況が劣悪である（例えばビット・エラーレートが一時的に許容できるしきい値より大きい）場合、ＵＥは、誤ったグラントとなるものを受信および復号し、許容できない構成で送信し得る。
【００３２】
[0037]  少なくとも上記を考慮して、標準の送信グラント状況を超える追加の基準に基づいて送信電力を制限するために、ＵＥ側の工程に取り組むことによって、準拠していないネットワーク動作または誤ったグラントを防ぐことが、ＵＥのための解決策に必要である。
【００３３】
[0038]  開示されている装置および方法は、補完的なバック・オフ特徴を有効／無効にするために、ネットワークから信号を介して受信されたインジケータ値を使用し得る。すなわち、ＵＥ電力送信におけるネットワークによって提供される制限に加えて、ＵＥは、追加の（おそらく一方的な）予防措置を講じ得る。これらの予防措置は、下記を含む：インジケータがシグナリングされると、ＵＥは、特定のモード（例えば、３ＧＰＰに従えば無効であると宣言されるモード）で動作するように求められる場合、追加の最大電力低減に取り組むだろう。最大電力低減は、例えば、特定の設計における特性測定に基づいて設定可能であり、ＵＥの不揮発性メモリに記憶され得る。一例としての適用では、送信信号電力を低減する補完的なバック・オフ（a supplemental back-off）は、チャネル内の割り振られたリソース・ブロックのロケーションにではなく、ネットワーク信号値に基づく送信信号電力における別の低減に対して、補完的である。
【００３４】
[0039]  図１は、複数の移動局（例えばユーザ装置ＵＥ）１０８、複数の基地局１１０、基地局コントローラ（ＢＳＣ）１０６、およびモバイル交換局（ＭＳＣ）１０２を含み得るワイヤレス・システムを示す。システム１００は、ＧＳＭ、ＥＤＧＥ、ＷＣＤＭＡ、ＣＤＭＡなどであり得る。ＭＳＣ１０２は、公衆交換電話網（ＰＴＳＮ）１０４とインターフェースをとるように構成され得る。ＭＳＣはまた、ＢＳＣ３０６とインターフェースをとるように構成され得る。システム３００において１つより多くのＢＳＣ１０６があり得る。各基地局１１０は、少なくとも１つのセクタを含み得、そこでは各セクタが、基地局１１０から半径方向に離れる特定の方向に向けられたアンテナ、または全方向性のアンテナを有し得る。あるいは、各セクタは、ダイバーシティ受信のための２つのアンテナを含み得る。各基地局１１０は、複数の周波数割当てをサポートするように設計され得る。周波数割当てとセクタの交点（intersection）は、例えばチャネルと呼ばれ得る。例としての移動局１０８は、セルラー式の、または携帯用通信システム（ＰＣＳ：portable communication system）電話を含み得る。
【００３５】
[0040]  セルラー電話システムの動作の間に、基地局１１０は、移動局１０８のセットから逆方向リンク信号のセットを受信し得る。移動局１０８は、通話または他の通信に関連し得る。所定の基地局１１０によって受信される各逆方向リンク信号は、その基地局１１０内で処理され得る。結果として生じるデータは、ＢＳＣ１０６に転送され得る。ＢＳＣ１０６は、基地局１１０間のソフトハンドオフ（soft handoff）の編成を含むモビリティ管理機能およびコール・リソース割り振り（call resource allocation）を提供し得る。ＢＳＣ１０６はまた、受信されたデータをＭＳＣ１０２にルーティングし得、それは、ＰＳＴＮ１０４とインターフェースをとるための追加のルーティング・サービスを提供する。同様に、ＰＴＳＮ１０４は、ＭＳＣ１０２とインターフェースをとり得、ＭＳＣ１０２は、ＢＳＣ１０６とインターフェースをとり得、そしてそれは、移動局１０８のセットに順方向リンク信号のセットを送信するために、基地局１１０を制御し得る。
【００３６】
[0041]  ＵＥ１０８が制限されていない領域（unrestricted regions）において性能を犠牲にすることなく放射要件を満たすために、例えば、ＵＥ１０８が特定のルールにしたがって制限された構成でスケジューリングされるときはいつでも効果が生じ得るＵＥ最大電力低減方法（a UE maximum power reduction method）が、開示される。
【００３７】
[0042]  ここに開示されている実施形態は、例えば、準拠していないネットワーク行動、または誤ったＵＬグラントに対する予防手段として、一般的な電力バック・オフ方法を提供する。１つの実施形態は、補完的なバック・オフ特徴を有効／無効にするために、ネットワークからのインジケータを使用する。シグナリングされると、ＵＥは、例えば３ＧＰＰに従って無効と宣言されたモード（a mode declared invalid）で動作することを要求されると、追加の最大電力低減に取り組むだろう。
【００３８】
[0043]  図２は、１つの実施形態に従ったワイヤレス・システムを示す。ワイヤレス・システム２００は、基地局２０２と、ユーザ装置（ＵＥ）と呼ばれるワイヤレス・デバイス２０１を含む。基地局２０２およびワイヤレス・デバイス２０１は、複数の異なるワイヤレス・プロトコルのいずれか１つを使用して通信するように構成され得る。本開示の特徴および効果は、特定のワイヤレス・プロトコル−第３世代パートナシップ・プロジェクト（３ＧＰＰ）（例えば３ＧＰＰ ＴＳ３６）を参照して説明される。しかしながら、ここに説明されている特徴およびアプローチが他のワイヤレス通信配置（wireless communication arrangements）に適用可能であり得ることが、理解されるべきである。この例では、ＵＥ２０１および基地局２０２は、３ＧＰＰプロトコルを使用して情報を通信し得る。基地局２０２は、送信のための情報をエンコードするためのベースバンド処理２４１を含む、ワイヤレス・チャネルのための情報を構成するためのデジタル処理回路２４０を含み得る。ベースバンド２４１からのエンコードされた情報は、受信機（ＲＸ）および送信機（ＴＸ）を含み得るトランシーバ（Ｔｘ／ＲＸ）２３０に提供される。トランシーバ２３０の送信機は、１つ以上のアンテナ２９８にエンコードされた情報を有するＲＦ信号を駆動する。アンテナ２９８によって発生されたＲＦ信号は、ＵＥ２０１における１つ以上のアンテナ２９９において受信される。ＵＥ２０１におけるトランシーバ２１０は、例えば、受信されたＲＦ信号を受信し、増幅し、ダウンコンバートし、およびデジタル化するための受信機（ＲＸ）２１１を含む。ＵＥ２０１におけるデジタル処理回路２２０は、ベースバンド・プロセッサ２２１において情報を復号することを含めて、ＲＦ信号内の受信された情報を処理する。上記のような基地局２０２からＵＥ２０１への情報の送信は、例えばダウンリンク（ＤＬ）と呼ばれ、直交周波数分割多重（ＯＦＤＭ）を使用し得る。
【００３９】
[0044]  同様に、ＵＥ２０１におけるデジタル処理回路２２０は、ワイヤレス・チャネルを介したＵＥ２０１から基地局２０２への送信に関わる情報を構成する。デジタル処理２２０は、送信に関わる情報をエンコードするためのベースバンド処理２２１を含み得る。ベースバンド２２１からのエンコードされた情報は、トランシーバ２１０における送信機（ＴＸ）２１２に提供される。送信機２１２は、１つ以上のアンテナ２９９にエンコードされた情報を有するＲＦ信号を駆動するために、ＲＦ電力増幅器を含む。アンテナ２９９によって発生されたＲＦ信号は、基地局２０２における１つ以上の基地局アンテナ２９８において受信される。基地局２０２におけるトランシーバ２３０は、例えば、受信されたＲＦ信号を受信し、増幅し、ダウンコンバートし、およびデジタル化するための受信機（ＲＸ）を含む。基地局２０１におけるデジタル処理回路２４０は、ベースバンド・プロセッサ２４１において情報を復号することを含めて、ＲＦ信号内の受信された情報を処理する。ＵＥ２０１から基地局２０２への情報の送信は、例えばアップリンク（ＤＬ）と呼ばれ、単一キャリア周波数分割多元接続（ＳＣ−ＦＤＭＡ）を使用し得る。
【００４０】
[0045]  以下により詳細に記載されているように、基地局処理２４０は、リージョナル・プロトコル（regional protocols）２４３にしたがったスケジューリング２４２を含み得る。例えば、さまざまな地域が、どのように通信が実行されるべきかを指示する地域特有の制約を有し得る。特に、基地局処理２４０は、ネットワーク信号値（ＮＳｘｘ）２４４を含み得、それは例えば、基地局２０２上に存在するか、ネットワークの他の部分から基地局に送信され得る。ネットワーク信号値ＮＳｘｘは、例えばＵＥ送信において制限を設定するパラメータである。ネットワークシグナリング値は、特定の地域、例えばＵＳ、日本またはその他のロケーションに関連した値を有し得る。本開示の特徴および効果は、ＵＥ２０１における特定の動作をトリガーするためにネットワーク信号値２４４を使用することを含む。例えば、１つの実施形態では、基地局スケジューリングは、特定のＵＥがリージョナル・プロトコル２４３に起因して（例えば別の周波数チャネルに近接した）特定の周波数においてアップリンクでＲＦ信号を送信することを制限し得る。しかしながら、いくつかの事例において、ＵＥ２０１は、例えば基地局からＵＥに送信されるスケジュールのＵＥにおける誤った解釈、またはリージョナル・プロトコルに準拠しないＵＥ、またはリージョナル・プロトコルに準拠しない基地局を含む、さまざまな理由によって、リージョナル・プロトコル制限に違反する周波数で基地局に情報を送信するように構成され得る。
【００４１】
[0046]  この問題を解決するために、本開示の特定の実施形態は、基地局２０２からＵＥ２０１にネットワーク信号値（ＮＳｘｘ）２４４を送ることを含む。この実例において、ＵＥ２０１におけるデジタル処理２２０は、スケジューリング処理２２２および送信電力制御ルール２２３を含む。スケジューリング２２２は、基地局２０２から受信されたスケジューリング基準（割当て）にしたがって、アップリンクにおける送信のための情報を構成し得る。しかしながら、ＵＥ２０１は、基地局２０２がリージョナル・プロトコルに違反する周波数で情報のアップリンクにおける送信をスケジューリングしたかどうかを（例えば送信電力制御ルール２２３を使用して）決定するために、受信されたネットワーク信号値２４４を使用する。このような違反が検出されると、送信電力制御ルール２２３は、送信信号電力を低減するために、例えば、デジタル処理２２０から送信機２１２に信号２２３Ａを送らせ得る。
【００４２】
[0047]  図３は、１つの実施形態に従った送信電力低減技術の一例としての適用を示す。この例では、２つ（２）のワイヤレス・チャネルは、互いに近接しており、１つのチャネルは、スプリアス帯域外周波数コンテンツ（spurious out of band frequency content）を許容され得ない電力レベルで近接したチャネルに生じさせ得る。アップリンク・チャネル３００は、例えば１９２０−１９８０ＭＨｚのチャネル帯域幅を有する、進化型ＵＭＴＳ地上無線アクセス（Ｅ−ＵＴＲＡ）エア・インターフェース・チャネルであり得る。チャネル帯域幅は、例えば最も低いチャネル・エッジから最も高いチャネル・エッジまで測定された、チャネルの幅に言及し得る。この例では、チャネル・エッジは、中心周波数プラス／マイナス２分の１のチャネル帯域幅（すなわち±（チャネル帯域幅／２））である。情報は、異なる周波数で情報の異なる部分を送ることによってＵＥから基地局に送信され得る。この例では、アップリンクを介して送信される情報は、複数のリソース・ブロックにおいて配置される。例えば、１つのプロトコルに従えば、１つの（１）リソース・ブロックは、０．５ｍｓであり、周波数ドメインにおける各シンボルのための１２のサブキャリアを含む。
【００４３】
[0048]  上述のように、基地局は、アップリンクにおける情報の送信をスケジューリングし、典型的に、特定の時間において特定のＵＥによって使用される特定のリソース・ブロックを調整する。したがって、１つのＵＥが、利用可能なリソース・ブロックのサブセットにおいて情報を送信するようにスケジューリングされるだけであり、それは、図３に示されている、割り振られた、または「アクティブな（active）」リソース・ブロック（ＲＢ）である。この例では、ＵＥは、５つの連続したＲＢで送信するようにスケジューリングされる。割り振られたＲＢは、開始ＲＢ（a starting RB）（ＲＢｓｔａｒｔ）および中間点ＲＢ（a midpoint RB）（ＲＢｍｉｄ）を含む。送信帯域幅は、送信における複数のアクティブなＲＢにしたがって設定される。したがって、割り振られたＲＢの数が増加するにつれて、送信帯域幅が増加する。そしてＲＢの数は、連続したリソース・ブロックの長さ（Ｌｃｒｂ）に関連する。したがって、Ｌｃｒｂが増加するにつれて、送信帯域幅が増加する。送信帯域幅構成（Transmission Bandwidth Configuration）は、特定のチャネル帯域幅に関わるＲＢの最大数である。この例における最大の占有帯域幅は、１８０ｋＨｚだけ乗じられたリソース・ブロックの数（例えば、１５ｋＨｚ／サブキャリアｘ１２サブキャリア／ＲＢｘ＃ＲＢ）である。
【００４４】
[0049]  図３に示されているように、リージョナル・プロトコルは、近接チャネル３０１に現れる１つのチャネル（例えばチャネル３００）からスプリアス周波数コンテンツ（spurious frequency content）の電力における上限を設定し得る。この例では、スプール（a spur）３９９は、特定の地域標準によって設定された、最大の許容可能なスプール電力、Ｐｍａｘ＿ｓｐｕｒ、を超過する。典型的に、基地局は、アップリンクにおいて使用されるＲＢを制限することによってこのような不準拠（non-compliance）を防ぐ。この例では、チャネル・エッジからの最初の５つ（５）のＲＢは、（例えばスケジューラによって、）アップリンクにおける使用を制限されている。しかしながら、この例では、ＵＥは制限されたＲＢのうちの１つ（例えばＲＢｓｔａｒｔ＝５）において送信し、それは、近接したチャネルにおけるＰｍａｘ＿ｓｐｕｒの違反を引き起こす。上記のように、本開示の実施形態は、リージョナル・プロトコルの違反をさらに防ぐために、ＵＥにおいてネットワーク信号値（ＮＳｘｘ）を使用し得る。この例では、ＵＥは、割り振られたＲＢのうちの１つが制限されたＲＢスロット内にあることを決定し得る。このような状況が検出されると、ＵＥは、帯域外の放射における地域的制限が満たされることを確実にするために、送信においてすべてのＲＢにわたる送信電力を低減（例えば「バック・オフ（Back Off）」）し得る。したがって、追加の「バック・オフ地域（Back-Off region）」における動作が、ＲＦ放射要件の違反なしに達成されることができる。図４おいて以下に説明されるように、ＲＢｍｉｄおよびＬｃｒｂは例えばＵＥにおける電力低減をトリガーするために使用され得ることが判る。
【００４５】
[0050]  図４は、１つの実施形態にしたがって電力放射バック・オフに関わる状況を示すグラフである。図４は、例えば電力バック・オフが実施され得る日本の送信システムにおいて使用され得るような、アップリンク中心周波数Ｆｕｌ＝１９３２．５ＭＨｚにおける補完的な電力低減システム（a supplemental power reduction system）のＬＴＥ１５ＭＨｚの動作を示す。３ＧＰＰ規格は、「無効な（invalid）」地域における動作を定義していない。３ＧＰＰ規格にしたがったバック・オフは、特定のハンドセット実装に、ＮＳｘｘ値に基づいてバック・オフに取り組むことを許可し（例えば、システムはＮＳ０５に対する５０ブロックより多くのＲＢ割り振りに対して１ｄＢを取り得）、それは、例えば「バック・オフなし（No Back Off）」地域において起こり得る。本開示の実施形態は、図４の「バック・オフ（Back-off）」地域のための補完的なバック・オフを含み得る。本開示に従ったバック・オフ地域における電力低減は、例えば、近接した帯域におけるスプール低減（spur reduction）を確実にするために存在し得る他のＮＳｘｘベースのバック・オフより大きくなり得る。
【００４６】
[0051]  例えば、図４において、０−７４と番号付けされた７５のリソース・ブロック（ＲＢ）の中から１つのグループが、送信のためにＵＥ１０８（図１）によって使用可能である連続したリソース・ブロック（ｃｒｂ）の割り振られたグループを形成するために選択され得る。各リソース・ブロックは、周波数のスパンを占有し、送信帯域幅は、アクティブな割り振られた連続したリソース・ブロックのグループの全帯域幅によって定義される（図３参照）。そのグループに含まれるリソース・ブロック（ＲＢ）の数はＬｃｒｂであり、理論上は１−７５のサイズであり得、しかしながら、以下の開示が示すように、実際的な制限が最大Ｌｃｒｂに課され得る。
【００４７】
[0052]  図４において、横軸は、割り振られた連続したリソース・ブロック（ｃｒｂ）のグループの中間点リソース・ブロック（midpoint resource block）（ＲＢｍｉｄ）の番号付けを示し、そこで各リソース・ブロックは、周波数のスパンを占有する。割り振られたリソース・ブロックは、送信帯域幅構成（a Transmission Bandwidth Configuration）、すなわち、１つの進化型ＵＭＴＳ地上無線アクセス（Ｅ−ＵＴＲＡ）キャリアの全周波数範囲、内に位置される。縦軸は、割り振られた連続したリソース・ブロックの長さ（Ｌｃｒｂ）（すなわち、連続したグループにおけるリソース・ブロックの数）を特定する。
【００４８】
[0053]  １つの実施形態では、中央値のリソース・ブロックが約７および６６の間である時、さらに、いくつのリソース・ブロックが使用するためにＵＥ１０８に割り振られるかに依存して、最大の特定された電力レベルが認められ且つバック・オフが必要とされない状況が示される（例えば、Ｌｃｒｂが増加すると、「バック・オフなし地域」またはＲＢｍｉｄ値の範囲が低減する）。ＲＢｍｉｄ値が約７に近い場合、図４に示されている例のように、１より大きい任意のＬｃｒｂが、ＵＥによって送信された統合電力を有し、それは、（例えば、日本で使用されている約１９１５ＭＨｚの上限周波数を有するＰＨＳ帯域のような）隣接するスペクトルにおける望ましくないレベルの放射信号を生じさせ得る。（例えばＬｃｒｂに関連した）送信帯域幅のＲＢｍｉｄ値が、送信帯域幅構成のチャネル・エッジから離れて（すなわち、リソース・ブロック７乃至大きい方の番号、または、およそリソース・ブロック６６乃至少ない方の番号未満、から離れて移動させられる（displaced）場合、そのとき、送信帯域のサイズ（すなわち、Ｌｃｒｂの値によって示されているようなアクティブなリソース・ブロックの数）は、より大きくなり、および、保護された、または近接した周波数範囲または別の送信帯域幅構成チャネルにおいて過剰なスペクトル放射をさらに回避し得る。すなわち、送信帯域幅構成の帯域エッジからより遠いほどに、Ｌｃｒｂの値（および、したがってＬｃｒｂの割り振られた連続したリソース・ブロックの送信帯域幅のサイズ、および対応する統合電力エミッタ（integrated power emitter））は大きくなり、それは、放射制限を依然として満たすことができる。
【００４９】
[0054]  図３を参照すると、５つ（５）の割り振られた連続したＲＢが示されている。Ｌｃｒｂは５に等しい。ＲＢｓｔａｒｔは、エッジから５番目のＲＢスロットにあり、それは、エッジから７番目のＲＢスロットにＲＢｍｉｄを配置する。リージョナル・プロトコルが、スロット１−５に制限（または保護帯域（guardband））を設置する場合、そのとき、ＲＢｍｉｄおよびＬｃｒｂは、ＲＢｓｔａｒｔが制限されたスロットにあることを決定するために使用されることができ、それは、送信電力低減をトリガーする。図４に示されているように、ＲＢｍｉｄは、保護帯域（違反をシグナリングするＬｃｒｂ＝５に関わるＲＢｍｉｄの値の範囲）内にある。バック・オフが生じない場合は、ＲＢｍｉｄはＢより大きくなる（すなわち、「バック・オフなし地域（no back-off region）」内になる）はずである。例えば、この例のＲＢｍｉｄにおける、または別の実施形態のＲＢｓｔａｒｔにおける、保護帯域は、中心周波数の周りに対称であり得ることが、留意されるべきである。例として、相互変調歪み（intermodulation distortion）が、チャネルの遠いエッジにおける保護帯域の違反を引き起こし得、チャネルの最も近いエッジに近接したチャネルにおいてスプールを引き起こし得る。本願の技術の１つの有利な点は、図４の上部によって示されているように、多くのＲＢ（例えばＲＭｍｉｄ＝３７を有する７５個のＲＢ）を使用する超広帯域幅信号が、放射基準（emissions standards）に違反することなく低減された送信電力モードで送信され得ることであることが、留意されるべきである。以前は、既存の技術は、図４におけるバック・オフなし地域の平坦な部分によって示されているように、特定の状況で使用されることができるＲＢの最大数を制限していた。
【００５０】
[0055]  図４の図表を具現化するルールの構成に基づいて、例えば、ネットワークがＵＥ動作を制限する送信帯域幅構成の地域を占有する連続したリソース・ブロックのためのグラント（a grant）をＵＥ１０８が受信する場合、ＵＥ１０８は、それ自身のルールに基づいた決定プロセスのイニシアチブで、グラントされたリソース・ブロック（granted resource blocks）における意図された電力を決定し、割り振られたアクティブなリソース・ブロックにわたって送信される電力をバック・オフし得る。例えば、バック・オフは、ＵＥの実際の送信電力を設定するために、意図された送信電力に対して比較される最大に設定された出力電力制限（例えば、Ｐｃｍａｘ＿Ｌ＝ＭＩＮ（ＰＥＭＡＸ−ΔＴｃ、Ｐpowerclass−ＭＰＲ− Ａ−ＭＰＲ −＜制限された地域バック・オフ＞−ΔＴｃ））を低減することによって、実装され得る。送信グラント（transmission grant）が、そのような過度の放射が保護された帯域において生じ得るチャネル・エッジに向かって位置された、長さＬｃｒｂのアクティブなリソース・ブロックを含む場合、そのグラントは、完全に無効となり得る。無効のグラント（invalid grants）は、ＵＥ１０８が劣悪なチャネル状況によって誤ったグラントを復号し得る場合に生じ得、この誤ったグラントは、例えば、保護された帯域において過度の放射を潜在的に引き起こす可能性がある制限された構成で、ＵＥ１０８に送信させ得る。
【００５１】
[0056]  図５は、１つの実施形態にしたがった方法の例示的なフロー図である。図５は、例えば、連続したリソース割り振りブロックのグラントされたグループにおける放出された電力のユーザ装置制御の方法のフロー図を示す。ＵＥ１０８によって電力送信を制限するためのルールに基づいた決定方法が説明される。５０１において、ＵＥはネットワークからネットワーク信号値を受信する。ネットワークからのこのネットワーク信号値は、ＴＳ ３ＧＰＰ規格にしたがって順守されなければならない、保護された帯域を識別するためにネットワークの基地局からブロードキャストされるＮＳ＿０５信号であり得る。
【００５２】
[0057]  ５０２において、ＵＥ１０８は、中心サブキャリア周波数および帯域幅、利用可能なリソース・ブロックの総数、および、例えば、ＵＥ１０８に利用可能な割り振られた送信帯域幅を構成するためのリソース・ブロック（Ｌｃｒｂ）の総数および開始リソース・ブロック番号（a starting resource block number）（ＲＢｓｔａｒｔ）によって識別されたリソース・ブロックの割当てられた割り振り、によって特定される、送信帯域幅構成の割当てを、ネットワークから受信する。
【００５３】
[0058]  ５０３において、ＵＥ１０８は、Ｅ−ＵＴＲＡキャリア帯域の送信帯域幅構成内のＬｃｒｂの割り振られたリソース・ブロックの位置（position）、および、保護された帯域との周波数近接関係を決定する。
【００５４】
[0059]  ５０４において、ＵＥ１０８は、ネットワーク信号値（例えばＮＳ＿０５）に従ってネットワークによってグラントされたものとして、連続した割り振られたリソース・ブロックによって放射され得る意図された電力を計算する。
【００５５】
[0060]  ５０５において、ＵＥ１０８は、保護された帯域を順守する放射制限を満たす量まで、Ｌｃｒｂのアクティブな割り振られたリソース・ブロックのスペクトルにわたって放射される電力を低減する。電力は、Ｌｃｒｂのアクティブなリソース・ブロックによって定義されたスペクトルにわたって均等にスケーリングされ得るか、代わって、電力送信において個々にスケーリングされ得る。
【００５６】
[0061]  ＵＥ１０８は、ネットワークからネットワーク信号値、および送信帯域幅構成に関わるグラント割当て情報（grant assignment information）を受信するための、受信機を含み得る。ＵＥは、ネットワーク信号値および割当て情報を記憶するためのメモリ（例えば、以下に説明されるようなもの）と、ネットワーク信号値およびグラント割当てに基づいて送信される電力をバック・オフするために電力送信の補完的な制限の制御を実行するためのプログラムと、このプログラムを作動させるためのプロセッサと、補完的な電力バック・オフ・レベルで割り振られたリソース・ブロックにおいてアップリンク信号を送信するための送信システムと、を含み得る。
【００５７】
[0062]  図６は、本開示の特徴を組み込み得るワイヤレス通信デバイス６０２を示す。ワイヤレス通信デバイス６０２は、アクセス端末、移動局、ユーザ装置（ＵＥ）などであり得る。ワイヤレス通信デバイス６０２は、プロセッサ６０３を含み得る。プロセッサ６０３は、汎用の、シングルまたはマルチ・チップ・マイクロプロセッサ（例えばＡＲＭ）、特定用途マイクロプロセッサ（例えば、デジタル信号プロセッサ（ＤＳＰ））、マイクロコントローラ、プログラマブル・ゲート・アレーなどであり得る。プロセッサ６０３は、中央処理ユニット（ＣＰＵ）とも呼ばれ得る。単一のプロセッサ６０３のみが図６のワイヤレス通信デバイス６０２に示されているが、別の構成では、複数のプロセッサ（例えばＡＲＭとＤＳＰ）の組み合わせが使用され得る。
【００５８】
[0063]  ワイヤレス通信デバイス６０２はまた、メモリ６０５を含む。メモリ６０５は、電子情報を記憶することが可能な任意の電子コンポーネントであり得る。メモリ６０５は、ランダム・アクセス・メモリ（ＲＡＭ）、読み取り専用メモリ（ＲＯＭ）、磁気ディスク記憶媒体、光学記憶媒体、ＲＡＭ中のフラッシュ・メモリ・デバイス、プロセッサとともに含まれるオンボード・メモリ、ＥＰＲＯＭメモリ、ＥＥＰＲＯＭ（登録商標）メモリ、レジスタなどとして、それらの組合せを含めて、具現化され得る。
【００５９】
[0064]  データ６０７ａおよび命令群６０９ａは、メモリ６０５に記憶され得る。命令群６０９ａは、ここに開示される技術の特定の態様を実装するために、プロセッサ６０３によって実行可能であり得る。命令群６０９ａを実行することは、メモリ６０５に記憶されるデータ６０７ａの使用を伴い得る。プロセッサ６０３が命令群６０９を実行するとき、命令群６０９ｂのさまざまな部分がプロセッサ６０３にロードされ得、データ６０７ｂのさまざまなピースが、プロセッサ６０３にロードされ得る。
【００６０】
[0065]  ワイヤレス通信デバイス６０２はまた、アンテナ６１７を介したワイヤレス通信デバイス６０２への信号の送信、およびそれからの信号の受信を可能にするために、送信機６１１および受信機６１３を含み得る。送信機６１１は、ここに記載の技術を組み込む電力増幅器を含み得る。送信機６１１および受信機６１３は、まとめてトランシーバ６１５とも呼ばれ得る。ワイヤレス通信デバイス６０２はまた、（示されていない）複数の送信機、複数のアンテナ、複数の受信機、および／または複数のトランシーバを含み得る。
【００６１】
[0066]  ワイヤレス通信デバイス６０２はまた、デジタル信号プロセッサ（ＤＳＰ）６２１を含み得る。ワイヤレス通信デバイス６０２はまた、通信インターフェース６２３を含み得る。通信インターフェース６２３は、ユーザがワイヤレス通信デバイス６０２と相互に作用することを可能にし得る。
【００６２】
[0067]  ワイヤレス通信デバイス６０２のさまざまなコンポーネントは、１つ以上のバスによって一緒に結合され得、それはパワー・バス、制御信号バス、ステータス信号バス、データ・バスなどを含み得る。明確さのために、さまざまなバスがバス・システム６１９として図６に示される。
【００６３】
[0068]  ここに記載の態様がハードウェア、ソフトウェア、ファームウェア、ミドルウェア、マイクロコード、またはこれらの任意の組合せで実装され得ることが、理解されるべきである。システムおよび／または方法が、ソフトウェア、ファームウェア、ミドルウェア、またはマイクロコード、プログラム・コード、またはコード・セグメントで実装される場合、機械可読媒体、例えば記憶コンポーネントに記憶され得る。コード・セグメントは、手順、機能、サブプログラム、プログラム、ルーティーン、サブルーティーン、モジュール、ソフトウェア・パッケージ、クラス、または命令群、データ構造、またはプログラム・ステートメントの任意の組合せを示し得る。コード・セグメントは、情報、データ、引数（argument）、パラメータ、またはメモリ・コンテンツを受信および／またはパスする（pass）ことによって、別のコード・セグメントまたはハードウェア回路に結合され得る。情報、引数、パラメータ、データなどは、メモリ共有、メッセージ・パッシング、トークン・パッシング、ネットワーク送信などを含む任意の適切な手段を使用してパス、転送、または送信され得る。
【００６４】
[0069]  ソフトウェア実装に関して、ここに記載の技術は、ここに記載の機能を実施するモジュール（例えば、手順、機能など）によって実装され得る。ソフトウェア・コードは、メモリ・ユニットに記憶され且つプロセッサによって実行され得る。メモリ・ユニットは、プロセッサ内で、またはプロセッサの外側で実装され得、この場合、この分野で周知のさまざまな手段を介してプロセッサにコミュニカティブに（communicatively）結合されることができる。
【００６５】
[0070]  上述されたことは１つ以上の態様の例を含む。当然、前述の態様を説明するために方法論またはコンポーネントのあらゆる考えられる組合せを説明することは可能ではないが、この分野の当業者であれば、さまざまな態様の多くのさらなる組合せおよび置換が可能であることを認識し得る。したがって、説明された態様は、添付の請求項の範囲および精神の範囲に入る全てのこのような変更、修正、および変形例を包含するように意図されている。さらに、「含む（includes）」という用語は、詳細な説明または請求項のいずれかにおいて使用されているという点では、このような用語は、「備える（comprising）」が、使用されるときに請求項において慣習的な語として解釈されるように、「備える（comprising）」という用語と同様な方法で包含的であることが意図されている。さらに、詳細な説明または請求項のいずれかにおいて使用される「または（or）」という用語は、「包括的な、または（non-exclusive or）」であるように意図される。
【００６６】
[0071]  本願で使用されているように、「コンポーネント（component）」、「モジュール（module）」、「システム（system）」などは、電子回路、電子信号プロセッサ、および／またはコンピュータ関連のエンティティに、ハードウェア、ファームウェア、ハードウェアとソフトウェアの組合せ、ソフトウェア、または実行されているソフトウェアのいずれかに、言及するように意図されている。例えば、コンポーネントは、プロセッサで作動するプロセス、集積回路、プロセッサ、オブジェクト、実行ファイル、実行のスレッド、プログラム、および／またはコンピュータであり得るが、これらに限定されない。例として、コンピューティング・デバイスで作動するアプリケーションスおよびコンピューティング・デバイの両方は、コンポーネントであることができる。１つ以上のコンポーネントは、プロセスおよび／または実行のスレッド内に存在することができ、コンポーネントは、１つのコンピュータにローカライズされ、および／または、２つ以上のコンピュータの間に配置され得る。さらに、これらのコンポーネントは、それに記憶されているさまざまなデータ構造を有するさまざまなコンピュータ可読媒体から実行できる。コンポーネントは、例えば１つ以上のデータ・パケット（例えば、ローカル・システム、分散システムにおける別のコンポーネントと、および／またはネットワーク、例えばインターネットにわたって、信号によって他のシステムと、相互に作用する１つのコンポーネントからのデータ）を有する信号にしたがって、ローカルおよび／またはリモート・プロセスによって通信し得る。
【００６７】
[0072]  さらに、さまざまな態様が、アクセス端末および／またはアクセス・ポイントに関連してここに説明されている。アクセス端末は、ユーザに、音声および／またはデータ接続を提供するデバイスに言及し得る。アクセス・ワイヤレス端末は、コンピューティング・デバイス、例えばラップトップ・コンピュータまたはデスクトップ・コンピュータに接続され得るか、それは、内蔵型デバイス、例えばセルラー電話であり得る。アクセス端末はまた、システム、加入者ユニット、加入者ステーション、移動局、モバイル、遠隔ステーション、遠隔端末、ワイヤレス・アクセス・ポイント、ワイヤレス端末、ユーザ端末、ユーザ・エージェント、ユーザ・デバイス、またはユーザ装置と呼ばれることができる。ワイヤレス端末は、加入者ステーション、ワイヤレス・デバイス、セルラー電話、ＰＣＳ電話、コードレス電話、セッション初期化プロトコル（ＳＩＰ）電話、ワイヤレス・ローカル・ループ（ＷＬＬ）ステーション、携帯情報端末（ＰＤＡ）、ワイヤレス接続機能を有する携帯デバイス、またはワイヤレス・モデムに接続された他の処理デバイスであり得る。アクセス・ポイント、別の呼び名では基地局、または基地局コントローラ（ＢＳＣ）、は、ワイヤレス端末と、１つ以上のセクタによって、エア・インターフェースを介して、通信するアクセス・ネットワークにおけるデバイスに言及し得る。アクセス・ポイントは、受信されたエア・インターフェース・フレームをＩＰパケットに変換することによって、ワイヤレス端末と、インターネット・プロトコル（ＩＰ）ネットワークを含み得るアクセス・ネットワークの残りと、の間のルータとして動作し得。アクセス・ポイントはまた、エア・インターフェースにかかわる性質の管理（management of attributes）を調整する。
【００６８】
[0073]  さらに、ここに記載のさまざまな態様または特徴は、標準のプログラミング、および／またはエンジニアリング技術を使用して、製造の品物、装置、または方法として実装され得る。ここで使用されているような「製造の物品（article of manufacture）」という用語は、例えば、任意の非一時的なコンピュータ可読デバイス、または媒体からアクセス可能なコンピュータ・プログラムを含むように意図されている。一例として、コンピュータ可読媒体は、磁気記憶デバイス（例えば、ハードディスク、フロッピー（登録商標）・ディスク、磁気ストリップ）、光学ディスク（例えば、コンパクト・ディスク（ＣＤ））、デジタル多用途ディスク（ＤＶＤ））、スマート・カード、およびフラッシュ・メモリおよびデバイス（例えばカード、スティック、キー・ドライブ）を含む不揮発性メモリ、および、読み取り専用メモリ、プログラマブル読み取り専用メモリ、および電気的消去可能プログラマブル読み取り専用メモリのような他の集積回路メモリ、を含むことができるが、それらに限定されない。
【００６９】
[0074]  上述の説明は、特定の実施形態の態様がどのように実施され得るかについての例と共に、本開示のさまざまな実施形態を示す。上記の例は、単なる実施形態であると見なされるべきではなく、下記の請求項によって定義されるような特定の実施形態の有効性および柔軟性を例示するために、示されている。上記の開示および下記の請求項に基づいて、他の配列、実施形態、実施およびそれらと同等のものが、請求項によって定義されている本開示の範囲から逸脱しないで使用され得る。
以下に、本願の出願当初の特許請求の範囲に記載された発明を付記する。
［Ｃ１］
モバイル・ユーザ装置（ＵＥ）送信電力を制限する方法であって、
ネットワークからネットワーク信号値を受信することと、
前記ネットワーク信号値、送信チャネルの中心周波数、割り振られたリソース・ブロックの数、および前記チャネル内の前記割り振られたリソース・ブロックのロケーションに基づいて、送信信号電力を低減することと、を備える方法。
［Ｃ２］
特定のリソース・ブロックは、周波数のスパンを占有し、およびリージョナル・プロトコルは、連続した割り振られたリソース・ブロックの対応する長さのために有効でないリソース・ブロックを特定し、前記送信信号電力を前記低減することは、有効でない前記特定されたリソース・ブロックのうちの１つが送信のためにスケジューリングされるときに生じる、Ｃ１に記載の方法。
［Ｃ３］
前記低減することは、ルールに基づいた決定プロセスによってトリガーされる、Ｃ１に記載の方法。
［Ｃ４］
前記低減することは、最大に設定された出力電力制限を低減することを備える、Ｃ１に記載の方法。
［Ｃ５］
前記送信信号電力を前記低減することは、送信信号電力における別の低減を補完するものであり、送信信号電力における前記別の低減は、前記チャネル内の前記割り振られたリソース・ブロックの前記ロケーションではなく前記ネットワーク信号値に基づく、Ｃ１に記載の方法。
［Ｃ６］
前記送信信号電力の補完的な前記低減は、前記ＵＥにおける不揮発性のメモリに記憶される、Ｃ５に記載の方法。
［Ｃ７］
前記送信信号電力の補完的な前記低減は、ＵＥ設計の特性測定に基づいて設定可能である、Ｃ５に記載の方法。
［Ｃ８］
前記送信信号電力の補完的な前記低減は、前記ネットワーク信号値に基づく送信信号電力における前記別の低減より大きい、Ｃ５に記載の方法。
［Ｃ９］
前記ＵＥは、リージョナル・プロトコルに違反して基地局にリソース・ブロックを送信するように構成されている、Ｃ１に記載の方法。
［Ｃ１０］
前記ＵＥは、前記リージョナル・プロトコルに準拠していない前記基地局に起因して前記リソース・ブロックを送信するように構成されている、Ｃ９に記載の方法。
［Ｃ１１］
前記ＵＥは、前記リージョナル・プロトコルに準拠していない前記ＵＥに起因して前記リソース・ブロックを送信するように構成されている、Ｃ９に記載の方法。
［Ｃ１２］
前記ＵＥは、前記基地局から前記ＵＥに送信されるスケジュールの前記ＵＥにおける誤った解釈に起因して、前記リソース・ブロックを送信するように構成されている、Ｃ９に記載の方法。
［Ｃ１３］
前記ネットワーク信号値はＮＳ＿０５である、Ｃ１に記載の方法。
［Ｃ１４］
前記ＵＥは、ＮＳ＿０５の前記ネットワーク信号値を受信するためにローミング・モードで動作可能である、Ｃ１に記載の方法。
［Ｃ１５］
送信機と、
受信機と、
前記受信機によって基地局からネットワーク信号値を受信し、前記ネットワーク信号値、送信チャネルの中心周波数、割り振られたリソース・ブロックの数、および前記チャネル内の前記割り振られたリソース・ブロックのロケーションに基づいて前記送信機における送信信号電力を低減するように構成されているデジタル処理回路と、
を備えるワイヤレス・デバイス。
［Ｃ１６］
前記ＵＥは、リージョナル・プロトコルに違反して基地局にリソース・ブロックを送信するように構成されている、Ｃ１５に記載のワイヤレス・デバイス。
［Ｃ１７］
前記送信信号電力を前記低減することは、送信信号電力における別の低減を補完するものであり、送信信号電力における前記別の低減は、前記チャネル内の前記割り振られたリソース・ブロックの前記ロケーションではなく前記ネットワーク信号値に基づく、Ｃ１５に記載のワイヤレス・デバイス。
［Ｃ１８］
不揮発性の記憶媒体上に記憶されたソフトウェア・プログラムであって、モバイル・ユーザ装置（ＵＥ）のコンピューティング・マシンにおいて実行されるとき、
ネットワークからネットワーク信号値を受信することと、
前記ネットワーク信号値、送信チャネルの中心周波数、割り振られたリソース・ブロックの数、および前記チャネル内の前記割り振られたリソース・ブロックのロケーションに基づいて、送信信号電力を低減することと、
を備える、ＵＥ送信電力を制限するための工程を実施する、ソフトウェア・プログラム。
［Ｃ１９］
前記ＵＥは、リージョナル・プロトコルに違反して基地局にリソース・ブロックを送信するように構成されている、Ｃ１８に記載のソフトウェア・プログラム。
［Ｃ２０］
前記送信信号電力を前記低減することは、送信信号電力における別の低減を補完するものであり、送信信号電力における前記別の低減は、前記チャネル内の前記割り振られたリソース・ブロックの前記ロケーションではなく前記ネットワーク信号値に基づく、Ｃ１８に記載のソフトウェア・プログラム。
【図１】
0006266766.tif 000002
【図２】
0006266766.tif 000003
【図３】
0006266766.tif 000004
【図４】
0006266766.tif 000005
【図５】
0006266766.tif 000006
【図６】
0006266766.tif 000007